(57)【特許請求の範囲】
【請求項１】
観察者の眼（５）により見た視野（６）の部分（７ｉ）を決定する装置（１）であって、
少なくとも１つの反射を形成するために前記観察者の前記眼（５）に光ビーム（２４）を送る光源（２３）と、
前記反射を観察して前記眼（５）の光軸の配向を表す第１の電気信号を生じる第１の像検知器（２６）と、
前記視野（６）を観察して、該視野（６）を表す第２の電気信号を生じる第２の像検知器（２８）と、
前記第１及び第２電気信号を受けて前記眼（５）により見た前記視野（６）の前記部分（７ｉ）を表す第３の電気信号を伝えるコンピュータ（８）と、
前記眼（５）が後方に位置される接眼レンズ（１５）を有する、前記視野（６）を前記眼（５）で見る光学観察装置（２，３）と、
前記視野（６）から来て前記光学観察装置を通過した光線（１６）を通し前記光源（２３）から照射された前記光ビーム（２４）を前記眼（５）に送る第１光学部材（２２）と、を備える装置（１）において、
前記第１光学部材（２２）は、前記接眼レンズ（１５）の対物焦点面の側に置かれており、
前記第１光学部材（２２）は、一方の側が前記視野（６）から来る前記光線（１６）のために少なくとも部分的に透過性で、他方の側が前記光源（２３）から照射される前記光ビーム（２４）のために部分的に透過性で且つ部分的に反射性であり、そして、
前記眼で反射された前記光ビーム（２４）の前記部分（２４'）は、前記第１光学部材（２２）を通過して、前記第１及び第２像検知器（２６，２８）に光学的に接続されて前記第１光学部材（２２）の前記視野から来る前記光線（１６）の伝達方向に対して上流に配置された第２光学部材（２１）に向かって配向され、該第２光学部材（２１）は、一方の側が前記視野（６）から来る前記光線（１６）のために部分的に透過性で且つ部分的に反射性であり、他方の側が前記光源から照射された前記光ビーム（２４）のために部分的に反射性である
ことを特徴とする装置。
【請求項２】
前記第１光学部材（２２）は、前記接眼レンズ（１５）の前記対物焦点面内に位置されていることを特徴とする請求項１に記載の装置。
【請求項３】
前記光学観察装置は、前記第２光学部材（２１）が配置される場所において、集束する中間点（１９）を区画する無限焦点光学系（１２〜１５）を有することを特徴とする請求項１に記載の装置。
【請求項４】
前記光学観察装置は、観察望遠鏡（２）を有し、前記無限焦点光学系（１２〜１５）は、対物レンズ（１２）と前記光学観察装置の出射接眼レンズを形成する接眼レンズ（１５）とを含み、前記対物レンズ（１２）は、前記観察望遠鏡（２）の接眼レンズ（１７）に光学的に接続されるようになっている請求項３に記載の装置。
【請求項５】
観察者の眼（５）により見た視野（６）の部分（７ｉ）を決定する装置（１）であって、
少なくとも１つの反射を形成するために前記観察者の前記眼（５）に光ビーム（１２４）を送る光源（１２３）と、
前記反射を観察して前記眼（５）の光軸の配向を表す第１の電気信号を生じる第１の像検知器（１２６）と、
前記視野（６）を観察して、該視野（６）を表す第２の電気信号を生じる第２の像検知器（１２８）と、
前記第１及び第２電気信号を受けて前記眼（５）により見た前記視野（６）の前記部分（７ｉ）を表す第３の電気信号を伝えるコンピュータ（８）と、
前記眼（５）が後方に位置される接眼レンズ（１１７）を有する、前記視野（６）を前記眼（５）で見る光学観察装置（１０２）と、
前記視野（６）から来て前記光学観察装置を通過した光線（１１６）を通し前記光源（１２３）から照射された前記光ビーム（１２４）を前記眼（５）に送る第１光学部材（１２２）と、を備える装置（１）において、
前記第１光学部材（１２２）は、前記接眼レンズ（１１７）の対物焦点面の側に置かれており、
前記第１光学部材（１２２）は、一方の側が前記視野（６）から来る前記光線（１６）のために部分的に透過性で且つ部分的に反射性であり、他方の側が前記光源（１２３）から照射された前記光ビーム（１２４）のために部分的に反射性であり、そして、
前記第１光学部材（１２２）は、前記第１及び第２像検知器（１２６，１２８）に光学的に接続され、該第１像検知器（１２６）との接続は第３光学部材（１２１）の使用によって得られ、該第３光学部材は、一方の側が少なくとも部分的に透過性で、他方の側は前記光源（１２３）から照射された前記光ビーム（１２４）のために少なくとも部分的に反射して前記眼と前記第１光学部材（１２２）とによって反射される前記部分（１２４'）を前記光ビーム（１２４）から分離するようできる
ことを特徴とする装置。
【請求項６】
前記第１光学部材（１２２）は、前記接眼レンズ（１１７）の前記対物焦点面内に位置されていることを特徴とする請求項５に記載の装置。
【請求項７】
第１及び第３光学部材（１２２，１２１）は、前記光学観察装置（１０２）を形成するために観察望遠鏡へ組み込まれており、該観察望遠鏡の前記接眼レンズ（１１７）が前記光学観察装置の前記出射接眼レンズを形成していることを特徴とする請求項５に記載の装置。
【請求項８】
観察者の眼（５）により見た視野（６）の部分（７ｉ）を決定する装置用の光学観察装置を観察望遠鏡（２）と共に形成するよう意図されたセンサ（３）であって、
１つの反射を形成するために前記観察者の前記眼（５）に光ビーム（２４）を送る光源（２３）と、
前記反射を観察して前記眼（５）の光軸の配向を表す第１の電気信号を生じる第１の像検知器（２６）と、
前記視野（６）を観察して、該視野（６）を表す第２の電気信号を生じる第２の像検知器（２８）と、
前記第１及び第２の電気信号を受けて前記眼（５）により見た前記視野（６）の前記部分（７ｉ）を表す第３の電気信号を伝えるコンピュータ（８）と、を備えたセンサ（３）において、
前記観察望遠鏡（２）に接続された無限焦点光学系（１２〜１５）であって、前記観察望遠鏡の接眼レンズ（１７）に光学的に接続された対物レンズ（１２）と、前記光学観察装置の出射接眼レンズを形成する接眼レンズ（１５）とを有する該無限焦点光学系（１２〜１５）と、
前記出射接眼レンズ（１５）の対物焦点面の側に配置されると共に、前記光源（２３）から照射された前記光ビーム（２４）を前記眼に送る第１の光学部材（２２）であって、一方の側で前記視野（６）から来る前記光線（１６）を少なくとも部分的に透過すると共に、他方の側で前記光源（２３）から照射された前記光ビーム（２４）を部分的に透過および部分的に反射する該第１の光学部材（２２）と、
前記第１及び第２像検知器（２６，２８）に光学的に接続されると共に、前記対物レンズ（１２）及び前記第１の光学部材（２２）間に配置された第２の光学部材（２１）であって、一方の側で視野（６）から来た前記光線（１６）を部分的に透過および部分的に反射すると共に、他方の側で前記光源（２３）から照射された前記光ビーム（２４）を少なくとも部分的に反射する該第２の光学部材（２１）と、
を備えたことを特徴とするセンサ。
【請求項９】
前記第１の光学部材（２２）は、前記出射接眼レンズ（１５）の対物焦点面内に配置されたことを特徴とする請求項８に記載のセンサ。
【請求項１０】
前記光源（２３）を組み込んでいることを特徴とする請求項８に記載のセンサ。
【請求項１１】
前記第１及び第２像検知器（２６，２８）を組み込んでいることを特徴とする請求項８に記載のセンサ。
【請求項１２】
観察者の眼（５）により見た視野（６）の部分（７ｉ）を決定する装置用の光学観察装置であって、
１つの反射を形成するために前記観察者の前記眼（５）に光ビーム（１２４）を送る光源（１２３）と、
前記反射を観察して前記眼（５）の光軸の配向を表す第１の電気信号を生じる第１の像検知器（１２６）と、
前記視野（６）を観察して、該視野（６）を表す第２の電気信号を生じる第２の像検知器（１２８）と、
前記第１及び第２の電気信号を受けて前記眼（５）により見た前記視野（６）の前記部分（７ｉ）を表す第３の電気信号を伝えるコンピュータ（８）と、を備えた光学観察装置において、
接眼レンズ（１１７）が設けられた観察望遠鏡（１０２）と、
該観察望遠鏡（１０２）の前記接眼レンズ（１１７）の対物焦点面の側に配置されると共に、前記光源（１２３）から照射された前記光ビーム（１２４）を前記眼（５）に送る第１の光学部材（１２２）であって、一方の側で前記視野（６）から来る前記光線（１１６）を部分的に透過し且つ部分的に反射すると共に、他方の側で前記光源（１２３）から照射された前記光ビーム（１２４）を少なくとも部分的に反射し、且つ前記第２像検知器（１２８）に光学的に接続された該第１の光学部材（２２）と、
一方の側で少なくとも部分的に透過すると共に、他方の側で前記光源（１２３）から照射された前記光ビーム（１２４）を部分的に反射する第３の光学部材（１２１）であって、前記光ビーム（１２４）と、前記眼および前記第１光学部材（１２２）により反射された光ビームの部分（１２４'）との間の分離を形成すると共に、前記第１光学部材（１２２）と前記第１像検知器（１２６）との間の光学的接続を成す該第３の光学部材（１２１）と、
を備えたことを特徴とする光学観察装置。
【請求項１３】
前記第１光学部材（１２２）は、前記接眼レンズ（１１７）の前記対物焦点面内に配置されたことを特徴とする請求項１２に記載の光学観察装置。
【請求項１４】
前記光源（１２３）を組み込んでいることを特徴とする請求項１２に記載の光学観察装置。
【請求項１５】
前記第１及び第２像検知器（１２６，１２８）を組み込んでいることを特徴とする請求項１２に記載の光学観察装置。
【発明の詳細な説明】
【０００１】
【産業上の利用分野】
この発明は、当該分野において“眼視鏡”と一般に呼ばれている装置の様な、観察者の眼により見た視野の部分を決定する装置に関するものである。
【０００２】
【従来の技術】
例えば、欧州特許出願公開第Ａ０１５７９７３号明細書に記載される様に、１つの角膜反射を形成するために観察者の眼の角膜に光ビームを送る光源と、この角膜反射を観察して眼の光軸の配向を表す第１の電気信号を生じる第１の像検知器と、視野を観察して視野を表す第２の電気信号を生じる第２の像検知器と、第１及び第２電気信号を受けて眼により見た視野の当該部分を表す第３の電気信号を伝えるコンピュータとを備えた、観察者の眼により見た視野の部分を決定する装置が既に知られている。
【０００３】
この様な装置は、米国の光学学会誌、１９５８年、７月号のマックワース等の論文“テレビジョン視準器による可視視野の変化において記録された眼の固定”に含まれる情報に主に基づいており、眼の光軸の配向の変化と角膜反射の変位との間に関係が有ることを示している。
【０００４】
従って、角膜反射の観察によって、第１の像検知器は、各瞬間に角膜反射の位置と眼の光軸の配向とを知る。コンピュータは、第２の像検知器から来る視野に就いての情報を受けるので、眼によって各瞬間に見た視野の部分を従って決定できる。
【０００５】
第１及び第２の像検知器は、カメラ型、例えば電荷結合素子カメラ（ＣＣＤカメラ）とすることができ、好適には、観察者を困らせないために、光源を不可視（赤外線）にできる。
【０００６】
周知の種々の方法に従えば、眼の光軸の配向を決めるために光ビームによって生じ且つ瞳孔によって絞られる網膜反射を、角膜反射と組み合わせることができる。
【０００７】
【発明が解決しようとする課題】
上述した型の周知の装置においては、観察者の眼は、周囲の視野を制限する観察望遠鏡の様な光学装置を間に置くこと無く、直接に視野を見る。従って、不可視光線源による眼の照射に対して何等の障害物も無い。
【０００８】
他方、観察者の眼による視野の観察のための光学装置を設けることが所要されると、困難に出会う。
【０００９】
実際に、眼は、光学装置の絞り面内において、光学装置の接眼レンズの近くに位置される。従って、光学装置の接眼レンズと眼との間に不可視光線ビームを導入するのは、場所が無いために不可能である。更に、光学装置を介して不可視光線によって眼を照射すること直面すると、不可視光線のビームは、光学装置の絞りによって直径が制限される。光学装置の絞りの面積が照射される角膜の面積に比較して小さくされると、網膜全体を照射するのが不可能であり、従って、眼の光軸の配向全体を測定するのが不可能になる。
【００１０】
この発明の目的は、この様な問題を解決するために、光学装置が設けられた上述した型の、観察者の眼により見た視野部分を決定する装置を提供することにある。
【００１１】
【課題を解決するための手段】
このために、この発明によれば、観察者の眼により見た視野の部分を決定するよう為す装置は、
少なくとも１つの反射を形成するために前記観察者の前記眼に光ビームを送る前記光源と、
前記反射を観察して前記眼の光軸の配向を表す第１の電気信号を生じる第１の像検知器と、
前記視野を観察して、該視野を表す第２の電気信号を生じる第２の像検知器と、
前記第１及び第２電気信号を受けて前記眼により見た前記視野の前記部分を表す第３の電気信号を伝えるコンピュータと、
前記眼が後方に位置される接眼レンズを有する、前記視野を前記眼で見る光学観察装置と、
前記視野から来て前記光学観察装置を通過した光線を通し前記光源から照射された前記光ビームを前記眼に送る第１光学部材と、を備える装置において、
前記第１光学部材は、前記接眼レンズの対物焦点面の側に置かれており、
前記眼で反射された前記光ビームの部分は、前記第１光学部材を介して前記第１の像検知器へ向けられることを特徴としている。
【００１２】
従って、眼を照射するよう為す光ビームは、出射接眼レンズを通過する。また、出射接眼レンズは二重の役目、すなわち（ｉ）視野の像を光学観察装置の出口絞りを介して眼に送る働きと、（ｉｉ）出口絞りからの照射無しに、光源から照射された光で眼を照射する働きとを持っている。
【００１３】
好適には、光ビームにより生じられる網膜反射を角膜反射とは別に用いる周知の方法（“角膜ベクトル”法と呼ばれる）によって眼で見た視野部分を決定することを装置が意図している時に、第１光学部材は、出射接眼レンズの対物焦点面内に配置される。
【００１４】
この発明の第１の実施例に従えば、傾斜した面を持った平行板から成る型とすることができる第１光学部材は、一方の側が視野から来る光線を少なくとも部分的に透過し、他方の側が光源から照射された光ビームを部分的に透過し且つ部分的に反射する。
【００１５】
従って、眼で反射された光ビームの一部は、第１光学部材を通過し、第１及び第２像検知器に光学的に接続されていて、視野から来る光線の伝達方向に関して第１光学部材の上流側に配置された第２光学部材の方に向けることができる。この第２光学部材は、一方の側が視野から来る光線を部分的に透過し且つ部分的に反射し、他方の側が光源から照射された光ビームを少なくとも部分的に反射するものである。
【００１６】
この場合に、光学観察装置は、第２光学部材が配置される場所において集束する中間点を区画する無限焦点光学系を有するのが好ましい。
【００１７】
また、光学観察装置は、天体望遠鏡型の観察望遠鏡を備え、無限焦点光学系は、対物レンズと光学観察装置の出射接眼レンズを形成する接眼レンズとを含み、対物レンズは、観察望遠鏡の接眼レンズに光学的に接続されるようにすることができる。
【００１８】
この実施例は、この発明に従った装置の使用のために、何ら変更することなく、観察望遠鏡を適合できるので、特に好適であることが理解されよう。従って、この発明の装置に適合させるために、普通の観察望遠鏡に接続させることを意図したセンサが得られる。
【００１９】
また、この発明は、観察者の眼により見た視野の部分を決定する装置用の光学観察装置を観察望遠鏡と共に形成するよう意図されたセンサ（３）であって、１つの反射を形成するために前記観察者の前記眼に光ビームを送る光源と、前記反射を観察して前記眼の光軸の配向を表す第１の電気信号を生じる第１の像検知器と、前記視野を観察して該視野を表す第２の電気信号を生じる第２の像検知器と、前記第１及び第２電気信号を受けて前記眼により見た前記視野の前記部分を表す第３の電気信号を伝えるコンピュータと、を備えたセンサにおいて、
前記観察望遠鏡に接続された無限焦点光学系であって、前記観察望遠鏡の接眼レンズに光学的に接続された対物レンズと、前記光学観察装置の出射接眼レンズを形成する接眼レンズとを有する該無限焦点光学系と、
前記出射接眼レンズの対物焦点面の側に配置されると共に、前記光源から照射された前記光ビームを前記眼に送る第１の光学部材であって、前記視野から来た前記光線を一方の側で少なくとも部分的に透過すると共に、前記光源から照射された前記光ビームを他方の側で部分的に透過および部分的に反射する該第１の光学部材と、
前記第１及び第２像検知器に光学的に接続されると共に、前記対物レンズ及び前記第１の光学部材間に配置された第２の光学部材であって、前記視野から来た前記光線を一方の側で部分的に透過および部分的に反射すると共に、前記光源から照射された前記光ビームを他方の側で少なくとも部分的に反射する該第２の光学部材と、を備えたことを特徴としている。
【００２０】
構造的一体性を構築するために、光源と第１及び第２像検知器との両方またはいずれか一方は、センサの中に組み込まれていることが好ましい。
【００２１】
この発明の第２の実施例に従えば、傾斜した面を持った平行な板から成る型とすることができる第１光学部材は、一方の側が視野から来る光線を部分的に透過し且つ部分的に反射し、他方の側が光源から照射された光ビームを少なくとも部分的に反射する。
【００２２】
従って、第１光学部材は、第１及び第２像検知器に光学的に接続できる。また、第１像検知器との接続は、一方の側が光を部分的に透過し、他方の側が光源から照射された光ビームを少なくとも部分的に反射すると共に眼と第１光学部材によって反射された部分をこの光ビームから分離できるよう造られた第３光学部材を用いることによって得られる。
【００２３】
この場合に、光学観察装置の出射接眼レンズを観察望遠鏡の接眼レンズが形成する光学観察装置を形成するために、観察望遠鏡内へ第１及び第３光学部材を組み込むことが好ましい。
【００２４】
この発明に従った装置のために特に意図された光学装置は、普通の観察望遠鏡の変更によって得られる。
【００２５】
従って、この発明は、観察者の眼により見た視野の部分を決定する装置用の光学観察装置であって、１つの反射を形成するために前記観察者の前記眼に光ビームを送る光源と、前記反射を観察して前記眼の光軸の配向を表す第１の電気信号を生じる第１の像検知器と、前記視野を観察して該視野を表す第２の電気信号を生じる第２の像検知器と、前記第１及び第２の電気信号を受けて前記眼により見た前記視野の前記部分を表す第３の電気信号を伝えるコンピュータと、を備えた光学観察装置において、
接眼レンズが設けられた観察望遠鏡と、
該観察望遠鏡の前記接眼レンズの対物焦点面の側に配置されると共に、前記光源から照射された前記光ビームを前記眼に送る第１の光学部材であって、前記視野から来た前記光線を一方の側で部分的に透過し且つ部分的に反射すると共に、前記光源から照射された前記光ビームを他方の側で少なくとも部分的に反射し、且つ前記第２像検知器に光学的に接続された該第１の光学部材と、
一方の側で少なくも部分的に透過すると共に、他方の側で前記光源から照射された前記光ビームを部分的に反射する第３の光学部材であって、前記光ビームと、前記眼および前記第１光学部材により反射された光ビームの部分との間の分離を形成すると共に、前記第１光学部材と前記第１像検知器との間の光学的接続を成す該第３の光学部材と、を備えたことを特徴としている。
【００２６】
単一の構造体を形成するために、光源と第１及び第２像検知器との両方またはいずれか一方は、光学装置の中に組み込まれていることが好ましい。
【００２７】
添付図面は、この発明が如何に構成されるかを容易に理解することができるよう成すものである。図面において、同一符号は同一部材を示している。
【００２８】
【実施例】
この発明に従った図１に概略的に示される装置１は、例えば天体望遠鏡型の観察望遠鏡２と、視線Ｖ−Ｖを決める共通の光軸に沿って観察望遠鏡の光軸が正確に整列される様な具合に固着部材４によって互いにしっかり取付けられた光学電気センサ３とを有している。
【００２９】
観察者の眼５は、光学電気センサ３の背後において視線Ｖ−Ｖ上に配置されるので、観察望遠鏡２によって決められる視野６で見ることができる。従って、図２に示される様に、眼５は、観察望遠鏡２を介して視野６の像６’と、この視野６を形成している異なった部分の像７ｉとを見る。
【００３０】
更に、図１の装置１は、光学電気センサ３からの電気出力信号９及び１０を受けて、これら出力信号９及び１０を出力信号１１として発信するために処理するコンピュータ８を有する。
【００３１】
図３に概略的に示される様に、部分的にだけ図示されている観察望遠鏡２において、光学電気センサ３は、視線Ｖ−Ｖに光軸が合わせられて無限焦点収色光学系を形成する様な具合に視線Ｖ−Ｖに沿って配置された、４個の凸レンズ１２、１３、１４及び１５の組を有している。
【００３２】
凸レンズ１２は、光学電気センサ３の対物レンズとして作用して、観察望遠鏡２の接眼レンズ１７からビーム１６を受けるが、このビーム１６は、観察望遠鏡２を通って接眼レンズ１７の通過に基づいて平行光線をなしている。このビーム１６は、像焦点１８に集束される。各凸レンズ１３及び１４は、ビーム１６を夫々中間点１９及び２０に再び集束するように為す。中間点２０は、凸レンズ１５の対物焦点と一致する。従って、凸レンズ１５は、観察望遠鏡２及び光学電気センサ３の組の出射接眼レンズとして作用し、眼５にビーム１６を再び平行光線の形で送る。従って、眼５は、凸レンズ１２により倒立され、凸レンズ１３により修正され、凸レンズ１４により倒立され、そして、接眼レンズ１５によって修正された後に像６’を見る。
【００３３】
中間点１９での集束の点で、凸レンズ１３及び１４の間に、一側がビーム１６に対して半透過半反射性で、他方においては赤外線に対して少なくとも一部反射性である傾斜した板２１が配置されている。
【００３４】
更に、出射接眼レンズ１５の中間点２０の対物焦点には、一側がビーム１６に対して透過性で、他方の側が赤外線に対して半反射および半透過性である傾斜した板２２が配置されている。
【００３５】
また、光学電気センサ３は、次の部材から成っている。それは、
赤外線光源２３、例えば光学装置２５の作用を介して傾斜した板２２の上に焦点が合わせられる赤外線ビーム２４を照射する発光ダイオードと、
光学装置２７を中間に置いて傾斜した板２１の反対側に設けられ、ＣＣＤカメラからの出力が光学電気センサ３から来る出力９を形成する赤外線電荷結合素子カメラ（ＣＣＤカメラ）２６と、そして
光学装置２９を中間に置いて傾斜した板２１の反対側に設けられ、ＣＣＤカメラ２８からの出力が光学電気センサ３から来る出力１０を形成する電荷結合素子カメラ（ＣＣＤカメラ）２８とである。
【００３６】
従って、観察望遠鏡２の接眼レンズ１７から来るビーム１６は、傾斜した板２１及び２２を通ることによって、上に示した様な具合にレンズ１２〜１５を通って眼５に送られる。更に、ビーム１６の部分１６'は、傾斜した板２１における反射によって、光学装置２９を経て電荷結合素子カメラ２８に送られる。従って、出力１０で表される電気信号は、視野６の像６’を表す。
【００３７】
ここで、ビーム２４は、傾斜した板２２における反射と出射接眼レンズ１５の作用とによって、平行光線のビームの形で眼５に送られる。従って、このビーム２４は、眼５の角膜及び網膜の照射とこれら角膜及び網膜における反射とによって、光学装置２７を通ってＣＣＤカメラ２６に送られる前に傾斜した板２１において反射するために、出射接眼レンズ１５、傾斜した板２０及びレンズ１４を通る、ビーム１６と反対方向のビーム２４’によって伝えられる角膜反射と網膜反射を生じる。
【００３８】
この角膜反射と、網膜反射により形成される瞳の光の中心との間の位置の違いは、眼５の光軸の配向を表すので、電荷結合素子カメラ（ＣＣＤカメラ）２６の出力９によって与えられる情報は、眼５によって見られる像６’の部分７ｉの表示を成す。
【００３９】
従って、ＣＣＤカメラ２６及び２８の出力９及び１０から来る電気信号を入力として受けるコンピュータ８は、眼５により見られる部分７ｉを表す電気信号を出力する電気入力信号の周知の処理によって、出力１１として発信することができる。
【００４０】
図４は、この発明に従って改善され且つ図１の装置１の取り換えを為すよう意図された通常の観察望遠鏡２と光学電気センサ３とから成る観察望遠鏡１０２の部分図である。また、観察望遠鏡１０２の光軸、すなわち観察軸線は、符号Ｖ−Ｖで示される。
【００４１】
観察望遠鏡１０２は、接眼レンズ１１７を有しており、観察望遠鏡１０２（観察望遠鏡１０２の図示しない対物レンズから来る）を通過する光学ビーム１１６を受けるために且つ視野６の像６’（図２）を見るために、接眼レンズ１１７の背後に眼５が位置される。観察望遠鏡１０２は、上述した出力９及び１０に夫々似た出力１０９及び１１０を有する。
【００４２】
接眼レンズ１１７の対物焦点１２０に、一側がビーム１１６に対して部分透過部分反射性で、他方の側が赤外線に対して少なくとも一部反射性である傾斜した板１２２が設けられている。
【００４３】
更に、観察望遠鏡１０２は、次の部材から構成されている。それは、
光学装置１２５の作用によって傾斜した板１２２の上に焦点が合わせられる赤外線ビーム１２４を照射する赤外線光源１２３（発光ダイオード）と、
ビーム１２４の通路内に位置されていて赤外線に対して一側が少なくとも部分透過性で、他方の側が少なくとも部分反射性である傾斜した板１２１と、
光学装置１２７を中間に置いて傾斜した板１２１の反対側に設けられ、ＣＣＤカメラ１２６からの出力が観察望遠鏡１０２から来る出力１０９を形成する赤外線電荷結合素子カメラ（ＣＣＤカメラ）１２６と、そして
光学装置１２９を中間に置いて傾斜した板１２２の反対側に設けられ、ＣＣＤカメラ１２８からの出力が観察望遠鏡１０２から来る出力１１０を形成する電荷結合素子カメラ（ＣＣＤカメラ）１２８とである。
【００４４】
従って、観察望遠鏡１０２を通過するビーム１１６は、傾斜した板１２２及び接眼レンズ１１７を通って眼５に送られる。更に、ビーム１１６の部分１１６'は、傾斜した板１２２における反射によって、光学装置１２９を経て電荷結合素子カメラ１２８（ＣＣＤカメラ）に送られる。従って、出力１１０で表わされる電気信号は、視野６の像６’を表す。
【００４５】
赤外線ビーム１２４は、傾斜した板１２１及び光学装置１２５を通った後に、傾斜した板１２２における反射と観察望遠鏡１０２の接眼レンズ１１７の作用とによって、平行光線のビームの形で眼５に送られる。従って、このビーム１２４は、眼５の角膜及び網膜の照射とこれら角膜及び網膜における反射とによって、光学装置１２７を通ってＣＣＤカメラ１２６に送られる前に、接眼レンズ１１７を通過し且つ傾斜した板１２２及び１２１において反射される、ビーム１１６と反対方向のビーム１２４’によって、伝えられる角膜反射と網膜反射とを生じる。
【００４６】
従って、上述した出力９及び１０に見られる電気信号と同様な電気信号が出力１０９及び１１０に夫々見られることが理解できる。従って、コンピュータ８は、観察望遠鏡１０２を介して眼５により見られる部分７ｉを表す電気信号を出力１１に伝えるために、出力１０９及び１１０からの信号を同様な具合に処理できる。
【００４７】
上述の説明から、この発明によって、観察者の２つの眼５の夫々と光学装置２及び３または１０２とを組合わせることによって、双眼鏡を造ることができるのが理解されよう。この場合に、２つの光学装置２及び３または１０２から来る信号を処理するのがコンピュータ８における利点である。
【図面の簡単な説明】
【図１】  この発明に従った装置の第１の実施例を概略的に示す図である。
【図２】  この発明の装置を介して見た視野の像を概略的に示す図である。
【図３】  図１の装置の一部を拡大して断面で示す部分図である。
【図４】  この発明に従った装置の第２の実施例の部分断面図である。
【符号の説明】
２…観察望遠鏡、３…光学電気センサ、５…眼、６…視野、８…コンピュータ、９…出力信号、１０…出力信号、１１…出力信号、１２…凸レンズ、１３…凸レンズ、１４…凸レンズ、１５…凸レンズ、１６…ビーム、１７…接眼レンズ、１８…像焦点、２１…傾斜した板、２２…傾斜した板、２４…ビーム、２６…電荷結合素子カメラ、２７…光学装置、２８…電荷結合素子カメラ、２９…光学装置、１０２…観察望遠鏡、１０９…出力、１１０…出力、１１６…ビーム、１１７…接眼レンズ、１２０…対物焦点、１２２…傾斜した板、１２３…赤外線、１２４…赤外線ビーム、１２５…光学装置、１２６…電荷結合素子カメラ、１２７…光学装置、１２８…電荷結合素子カメラ。
【図１】
0003672261.tif 000002
【図２】
0003672261.tif 000003
【図３】
0003672261.tif 000004
【図４】
0003672261.tif 000005